(57)【要約】   【課題】  青果物などの陳列物の種々の大きさ、種々の形状などに対応できるボリュウーム感のある陳列の演出に優れた簡易な構造の商品陳列台を提供すること。  【解決手段】  水平部材１１１と垂直部材１１２とからなる略Ｌ字断面形状の商品陳列基台１１と、商品陳列基台１１に陳列される商品を区画する仕切り板１２を有するものであって、商品陳列基台１１の水平部材１１１の上面１１９又は垂直部材１１２の前面１１８に仕切り板１２が嵌る係合溝１１５、１１４を形成してなる。【選択図】        図１
0003103554.tif 000002
【実用新案登録請求の範囲】
【請求項１】
水平部材と垂直部材とからなる略Ｌ字断面形状の商品陳列基台と、該商品陳列基台に陳列される商品を区画する仕切り板を有するものであって、該商品陳列基台の水平部材の上面又は垂直部材の前面に該仕切り板が嵌る係合溝を形成してなることを特徴とする商品陳列台。
【請求項２】
前記係合溝は、左右方向に等ピッチで多数形成されることを特徴とする請求項１記載の商品陳列台。
【請求項３】
前記係合溝は、水平部材の上面の中央部に形成されるか、又は垂直部材の前面の中央部に形成される部分係合溝であることを特徴とする請求項１又は２記載の商品陳列台。
【請求項４】
前記仕切り板には、部分係合溝に係合する係止片を少なくとも１つ備えることを特徴とする請求項１〜３のいずれか１項記載の商品陳列台。
【請求項５】
前記商品陳列基台を複数台用い、一の商品陳列基台の垂直部材の先端と、他の商品陳列基台の水平部材の先端を接続することにより、多段のひな壇形状の商品陳列面を形成することを特徴とする請求項１〜４のいずれか１項記載の商品陳列台。
【請求項６】
多段のひな壇形状の全ての商品陳列面の陳列商品を上下同一ラインで区画する一体物の仕切り板を用いることを特徴とする請求項５記載の商品陳列台。
【請求項７】
水平部材が僅かに後方傾斜となるように設置されることを特徴とする請求項１〜６のいずれか１項記載の商品陳列台。
【考案の詳細な説明】
【技術分野】
【０００１】
本考案は、主にスーパー、百貨店、専門店、コンビニエンスストアー等の店内
の陳列棚で特に青果物を陳列するのに用いられ、陳列物の種々の大きさ、種々の形状に対応できる陳列の演出に優れた商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【考案の開示】
【考案が解決しようとする課題】
【０００３】
しかしながら、上記の陳列棚で用いられる仕切り板は、前後方向に等ピッチで多数附設された嵌合溝に係合し、陳列商品を前後方向に区画するものである。すなわち、当該仕切り板は陳列商品が前後方向に転落、移動することを防止するものであって、左右方向を区画するものではない。このため、この種の陳列棚ではリンゴやグレープフルーツ等の丸物商品、あるいはねぎ、ごぼう等の長物商品を区画して陳列することができず、またこれらのボリュウーム感のある陳列を演出することができないという問題がある。
【０００４】
従って、本考案の目的は、青果物などの陳列物の種々の大きさ、種々の形状などに対応できるボリュウーム感のある陳列の演出に優れた簡易な構造の商品陳列台を提供することにある。
【課題を解決するための手段】
【０００５】
すなわち、本考案（１）は、水平部材と垂直部材とからなる略Ｌ字断面形状の商品陳列基台と、該商品陳列基台に陳列される商品を区画する仕切り板を有するものであって、該商品陳列基台の水平部材の上面又は垂直部材の前面に該仕切り板が嵌る係合溝を形成してなる商品陳列台を提供するものである。
【０００６】
また、本考案（２）は、前記係合溝は、左右方向に等ピッチで多数形成される商品陳列台を提供するものである。
【０００７】
また、本考案（３）は、前記係合溝は、水平部材の上面の中央部に形成されるか、又は垂直部材の前面の中央部に形成される部分係合溝である前記商品陳列台を提供するものである。
【０００８】
また、本考案（４）は、前記仕切り板には、部分係合溝に係合する係止片を少なくとも１つ備える前記商品陳列台を提供するものである。
【０００９】
また、本考案（５）は、前記商品陳列基台を複数台用い、一の商品陳列基台の垂直部材の先端と、他の商品陳列基台の水平部材の先端を接続することにより、多段のひな壇形状の商品陳列面を形成する前記商品陳列台を提供するものである。
【００１０】
また、本考案（６）は、多段のひな壇形状の全ての商品陳列面の陳列商品を上下同一ラインで区画する一体物の仕切り板を用いる前記商品陳列台を提供するものである。
【００１１】
また、本考案（７）は、水平部材が僅かに後方傾斜となるように設置される前記商品陳列台を提供するものである。
【考案の効果】
【００１２】
本考案によれば、Ｌ字断面形状の商品陳列基台と仕切り板の簡単な組み合わせで、青果物などの陳列物の種々の大きさ、種々の形状などに対応でき、ボリュウーム感のある陳列の演出を高めることができる。
【考案を実施するための最良の形態】
【００１３】
本考案の第１の実施の形態における商品陳列台について図１〜図３を参照して説明する。図１は本例の実施の形態における商品陳列台の斜視図、図２は図１の商品陳列台の使用例を示す図、図３図１の商品陳列台の他の使用例を示す図である。
【００１４】
第１の実施の形態における商品陳列台１０は、水平部材１１１と垂直部材１１２とからなる略Ｌ字断面形状の商品陳列基台１１と、商品陳列基台１１と組み合わせて用いる商品を区画する仕切り板１２からなる。また、商品陳列基台の水平部材１１１の上面１１９には、仕切り板１２の係止片１２２が嵌る係合溝１１５が形成され、垂直部材１１２の前面１１８には、仕切り板１２の係止片１２１が嵌る係合溝１１４が形成されている。係合溝１１５は、水平部材１１１の上面１１９において左右方向に等ピッチで多数形成されると共に、ほぼ中央部に形成される部分係合溝である。また、係合溝１１４は、垂直部材１１２の前面１１８において左右方向に等ピッチで多数形成されると共に、ほぼ中央部に形成される部分係合溝である。
【００１５】
仕切り板１２としては、商品を区画できるものであれば特に制限されず、その形状等は適宜決定される。本例では直角三角形の斜線部が外側にやや膨らんだ形状となっている。また、仕切り板１２の係止片１２１、１２２は垂直部材１１２あるいは水平部材１１１の係合溝１１４、１１５に組み付け状態において対向する位置に形成されるものであれば、その形状等は特に制限されず、本例では矩形状である。
【００１６】
商品陳列台１０は、Ｌ字断面形状の商品陳列基台１１の陳列面を２つの仕切り板１２、１２で商品を区画する簡単な構造であるにも係わらず、青果物などの陳列物の種々の大きさ、種々の形状などに対応できるボリュウーム感のある陳列をすることができる。すなわち、リンゴやグレープフルーツ等の丸物商品Ｂを２つの仕切り板１２、１２で区画されたスペースに陳列する場合、丸物商品Ｂが横にこぼれることはなく、また水平部材１１１、垂直部材１１２及び２つの仕切り板１２、１２が左右両側と後側からガイド役となって、積み上げ陳列を可能にしている（図３）。また、ねぎ、ごぼう等の長物商品Ａを２つの仕切り板１２、１２で区画されたスペースに陳列する場合、縦置きの陳列ができる（図２）。
【００１７】
また、水平部材１１１を例えば５〜１５度、好ましくは約１０度のような僅かに後方傾斜となるように設置すれば、更に安定した陳列が可能となる。水平部材１１１を僅かに後方傾斜となるように設置する方法としては、水平部材１１１の前側において不図示の陳列基台と水平部材１１１の裏面にスペーサーを介在させる方法及び水平部材１１１の裏面の前側に予め突起部を附設しておく方法等が挙げられる。
【００１８】
次に、本考案の第２の実施の形態における商品陳列台について図４を参照して説明する。図４は本例の実施の形態における商品陳列台の斜視図である。図４の商品陳列台２０において、図１の商品陳列台１０と同一の構成要素には同一符号を付してその説明を省略し、異なる点について主に説明する。すなわち、図４の商品陳列台２０において、図１の商品陳列台１０と異なる点は、第１の実施の形態例の商品陳列基台１１を複数台（３台）用い、一の商品陳列基台１１の垂直部材１１２の先端と、他の商品陳列基台１１の水平部材１１１の先端を接続することにより、多段（３段）のひな壇形状の商品陳列面を形成した点にある。
【００１９】
商品陳列台２０によれば、商品陳列台１０と同様の効果を奏する他、ひな壇形状の陳列面を形成できるため、更に迫力のある且つボリュウーム感のある陳列を行うことができる。
【００２０】
次に、本考案の第３の実施の形態における商品陳列台について図５を参照して説明する。図５は本例の実施の形態における商品陳列台の斜視図である。図５の商品陳列台３０において、図４の商品陳列台２０と同一の構成要素には同一符号を付してその説明を省略し、異なる点について主に説明する。すなわち、図５の商品陳列台３０において、図４の商品陳列台２０と異なる点は、第２の実施の形態例の商品陳列台２０で使用されている陳列面１段毎に使用する仕切り板１２に代えて、３段のひな壇形状の全ての商品陳列面の陳列商品を上下同一ラインで区画する一体物の仕切り板１２ａを用いた点にある。当該一体物の仕切り板の形状としては、特に制限されず、本例では縁部断面形状が弓状である。
【００２１】
商品陳列台３０によれば、商品陳列台２０と同様の効果を奏する他、２枚の仕切り板１２ａ、１２ａで３段のひな壇形状の陳列面を区画するため、整然とした画一的な陳列が可能となるため、更に迫力のある陳列を演出することができる。
【００２２】
次に、本考案の第４の実施の形態における商品陳列台について図６を参照して説明する。図６は本例の実施の形態における商品陳列台の斜視図である。図６の商品陳列台４０において、図４の商品陳列台２０と同一の構成要素には同一符号を付してその説明を省略し、異なる点について主に説明する。すなわち、図６の商品陳列台４０において、図４の商品陳列台２０と異なる点は、商品陳列台４０の幅（左右方向の長さ）寸法を、商品陳列基台２０の幅寸法の約３倍の大きさとした点、及び陳列面１段毎に使用する仕切り板１２を更に１段毎に２つ増やした点にある。
【００２３】
商品陳列台４０によれば、商品陳列台２０と同様の効果を奏する他、幅広の陳列面を形成したため、種類や形状が異なる多種多様な商品群を陳列する際、更に迫力のある陳列を演出することができる。
【００２４】
次に、本考案の第５及び第６の実施の形態における商品陳列台について図７及び図８を参照して説明する。図７及び図８は本例の実施の形態における商品陳列台の斜視図である。図７及び図８の商品陳列台１０ａ、１０ｂにおいて、図１の商品陳列台１０と同一の構成要素には同一符号を付してその説明を省略し、異なる点について主に説明する。すなわち、図７及び図８の商品陳列台１０ａ、１０ｂにおいて、図１の商品陳列台１０と異なる点は、それぞれ第１の実施の形態例の商品陳列基台１０の水平部材１１１の上面１１９にある係合溝を省略した点、及び当該省略した係合溝に相当する仕切り板の係合片を省略した点（図７）にあり、第１の実施の形態例の商品陳列基台１１の垂直部材１１２の前面１１８にある係合溝を省略した点、及び当該省略した係合溝に相当する仕切り板の係合片を省略した点（図８）にある。
【００２５】
商品陳列台１０ａ、１０ｂによれば、商品陳列台１０と同様の効果を奏する。
【００２６】
次に、本考案の第７の実施の形態における商品陳列台について図９を参照して説明する。図９は本例の実施の形態における商品陳列台の斜視図である。図９の商品陳列台１０ｃにおいて、図１の商品陳列台１０と同一の構成要素には同一符号を付してその説明を省略し、異なる点について主に説明する。すなわち、図９の商品陳列台１０ｃにおいて、図１の商品陳列台１０と異なる点は、商品陳列基台１１の水平部材１１１の上面１１９ほぼ中央部に形成された部分係合溝１１５を、上面１１９の前後方向、すなわち当該前後幅にほぼ相当する長さの係合溝１１７とし、また商品陳列基台１１の垂直部材１１２の前面１１８ほぼ中央部に形成された部分係合溝１１４を、前面１１８の上下方向、すなわち当該高さにほぼ相当する長さの係合溝１１６とした点、仕切り板にある係止片１２１、１２２を省略した点にある。
【００２７】
商品陳列台１０ｃによれば、商品陳列台１０と同様の効果を奏する他、仕切り板を更に簡易な構造にできる。また、仕切り板の設置が容易となる。  
【図面の簡単な説明】
【００２８】
【図１】第１の実施の形態における商品陳列台の斜視図である。
【図２】図１の商品陳列台の使用例を示す図である。
【図３】図１の商品陳列台の他の使用例を示す図である。
【図４】第２の実施の形態における商品陳列台の斜視図である。
【図５】第３の実施の形態における商品陳列台の斜視図である。
【図６】第４の実施の形態における商品陳列台の斜視図である。
【図７】第５の実施の形態における商品陳列台の斜視図である。
【図８】第６の実施の形態における商品陳列台の斜視図である。
【図９】第７の実施の形態における商品陳列台の斜視図である。
【符号の説明】
【００２９】
１０、１０ａ〜１０ｃ、２０、３０、４０    商品陳列台
１１    商品陳列基台
１２、１２ａ〜１２ｃ    仕切り板
１１１  水平部材
１１２  垂直部材
１１４〜１１７  係合溝
１１８  前面
１１９  上面
１２１、１２２    係止片
Ａ      長物商品
Ｂ      丸物商品
【図１】
0003103554.tif 000003
【図２】
0003103554.tif 000004
【図３】
0003103554.tif 000005
【図４】
0003103554.tif 000006
【図５】
0003103554.tif 000007
【図６】
0003103554.tif 000008
【図７】
0003103554.tif 000009
【図８】
0003103554.tif 000010
【図９】
0003103554.tif 000011